(57)【要約】【課題】基板上で発生する静的なスプリアス成分による影響を軽減する。【解決手段】本発明に係るＯＦＤＭ信号受信機１は、選択された周波数帯域のＯＦＤＭ信号を受信する第１チューナ１１及び第２チューナ２１と、第１チューナ１１及び第２チューナ２１からの出力信号に対してそれぞれＦＦＴ処理を行う第１ＦＦＴ回路１２及び第２ＦＦＴ回路２２と、第１ＦＦＴ回路１２及び第２ＦＦＴ回路２２からの出力信号を用いてダイバーシチ合成を行うダイバーシチ合成部１０１と、各周波数帯域に対してダイバーシチ合成に使用しないキャリアを記録する第１記録部５２とを具備し、ダイバーシチ合成部１０１は、第１記録部５２を参照して、第１ＦＦＴ回路１２又は第２ＦＦＴ回路２２からの出力信号に含まれる複数のキャリアの中から、選択された周波数帯域に対応するキャリアを削除してダイバーシチ合成を行う。【選択図】図１
2008199133.tif 000002
【特許請求の範囲】
【請求項１】
複数のキャリアを含むＯＦＤＭ信号を受信するＯＦＤＭ信号受信機であって、
選択された周波数帯域のＯＦＤＭ信号を受信する第１チューナ及び第２チューナと、
前記第１チューナからの出力信号及び前記第２チューナからの出力信号に対してそれぞれＦＦＴ処理を行う第１ＦＦＴ回路及び第２ＦＦＴ回路と、
前記第１ＦＦＴ回路からの出力信号及び前記第２ＦＦＴ回路からの出力信号を用いてダイバーシチ合成を行うダイバーシチ合成部と、
各周波数帯域に対して、前記ダイバーシチ合成に使用しないキャリアを記録する第１記録部とを具備し、
前記ダイバーシチ合成部は、前記第１記録部を参照して、前記第１ＦＦＴ回路からの出力信号又は前記第２ＦＦＴ回路からの出力信号に含まれる複数のキャリアの中から、前記選択された周波数帯域に対応するキャリアを除去して、前記ダイバーシチ合成を行うことを特徴とするＯＦＤＭ信号受信機。
【請求項２】
前記ダイバーシチ合成部からの出力信号の品質を測定する測定部を具備し、
前記ダイバーシチ合成部は、前記第１ＦＦＴ回路からの出力信号又は前記第２ＦＦＴ回路からの出力信号に含まれる複数のキャリアの中から除去するキャリアを変更した複数パターンの前記ダイバーシチ合成を行い、
前記測定部は、前記複数パターンのダイバーシチ合成によって生成される複数の出力信号の品質を測定して、該複数パターンのダイバーシチ合成の各々で使用されなかったキャリアと該測定された品質とを関連付けて第２記録部に記録し、
前記第１記録部は、前記第２記録部を参照して、各周波数帯域に対して、記録された品質のうち最良の品質に対応する前記キャリアを記録することを特徴とする請求項１に記載のＯＦＤＭ信号受信機。
【請求項３】
前記ダイバーシチ合成部からの出力信号に対してビタビ復号処理を行うビタビ復号部を具備し、
前記測定部は、前記品質として、前記ビタビ復号部からの出力信号の誤り率を測定することを特徴とする請求項２に記載のＯＦＤＭ信号受信機。
【請求項４】
前記ダイバーシチ合成部からの出力信号に対してビタビ復号処理を行うビタビ復号部と、
前記ビタビ復号部からの出力信号に対してリードソロモン復号処理を行うリードソロモン復号部とを具備し、
前記測定部は、前記品質として、前記リードソロモン復号部からの出力信号の誤り率を測定することを特徴とする請求項２に記載のＯＦＤＭ信号受信機。
【発明の詳細な説明】
【技術分野】
【０００１】
本発明は、ＯＦＤＭ信号を受信するＯＦＤＭ信号受信機に関する。
【背景技術】
【０００２】
近年、デジタルテレビ放送信号等のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）信号を受信するＯＦＤＭ受信機では、その小型化に伴い、複数のＣＰＵやメモリといったチップが、同一基板上に隣接して配置され、そのクロックの周波数成分が、スプリアス（妨害波）となって、受信したＯＦＤＭ信号にノイズとして混入するといった実装上の問題がある。
【０００３】
特に、ＯＦＤＭ信号受信機におけるＲＦ（Ｒａｄｉｏ  Ｆｒｅｑｕｅｎｃｙ）チューナ等の高周波回路部において、スプリアス成分が混入することが多い。
【０００４】
これに対して、かかるスプリアス（妨害波）成分を、ＰＬＬ回路によって検知した後に除去して復調するように構成されているＯＦＤＭ信号受信機が知られている（例えば、特開２００１-３３９３２０参照）。
【特許文献１】特開２００１-３３９３２０
【発明の開示】
【発明が解決しようとする課題】
【０００５】
しかしながら、従来のＯＦＤＭ信号受信機では、任意の周波数チャネルにおけるスプリアスを除去することが難しいという問題点があった。
【０００６】
そこで、本発明は、以上の点に鑑みてなされたもので、基板上で発生する静的なスプリアス成分による影響を軽減するＯＦＤＭ信号受信機を提供することを目的とする。
【課題を解決するための手段】
【０００７】
本発明の第１の特徴は、複数のキャリアを含むＯＦＤＭ信号を受信するＯＦＤＭ信号受信機であって、選択された周波数帯域のＯＦＤＭ信号を受信する第１チューナ及び第２チューナと、前記第１チューナからの出力信号及び前記第２チューナからの出力信号に対してそれぞれＦＦＴ処理を行う第１ＦＦＴ回路及び第２ＦＦＴ回路と、前記第１ＦＦＴ回路からの出力信号及び前記第２ＦＦＴ回路からの出力信号を用いてダイバーシチ合成を行うダイバーシチ合成部と、各周波数帯域に対して、前記ダイバーシチ合成に使用しないキャリアを記録する第１記録部とを具備し、前記ダイバーシチ合成部は、前記第１記録部を参照して、前記第１ＦＦＴ回路からの出力信号又は前記第２ＦＦＴ回路からの出力信号に含まれる複数のキャリアの中から、前記選択された周波数帯域に対応するキャリアを除去して、前記ダイバーシチ合成を行うことを要旨とする。
【０００８】
かかる発明によれば、ＯＦＤＭ信号受信機における受信品質に悪影響を及ぼす特定のキャリアを除去してダイバーシチ合成を行うことができるため、ＯＦＤＭ信号受信機における受信品質を改善することができる。
【０００９】
本発明の第１の特徴において、前記ダイバーシチ合成部からの出力信号の品質を測定する測定部を具備し、前記ダイバーシチ合成部は、前記第１ＦＦＴ回路からの出力信号又は前記第２ＦＦＴ回路からの出力信号に含まれる複数のキャリアの中から除去するキャリアを変更した複数パターンの前記ダイバーシチ合成を行い、前記測定部は、前記複数パターンのダイバーシチ合成によって生成される複数の出力信号の品質を測定して、該複数パターンのダイバーシチ合成の各々で使用されなかったキャリアと該測定された品質とを関連付けて第２記録部に記録し、
前記第１記録部は、前記第２記録部を参照して、各周波数帯域に対して、記録された品質のうち最良の品質に対応する前記キャリアを記録してもよい。
【００１０】
また、本発明の第１の特徴において、前記ダイバーシチ合成部からの出力信号に対してビタビ復号処理を行うビタビ復号部を具備し、前記測定部は、前記品質として、前記ビタビ復号部からの出力信号の誤り率を測定してもよい。
【００１１】
また、本発明の第１の特徴において、前記ダイバーシチ合成部からの出力信号に対してビタビ復号処理を行うビタビ復号部と、前記ビタビ復号部からの出力信号に対してリードソロモン復号処理を行うリードソロモン復号部とを具備し、前記測定部は、前記品質として、前記リードソロモン復号部からの出力信号の誤り率を測定してもよい。
【００１２】
かかる発明によれば、商品として出荷される前に、どのキャリアがスプリアス成分としてＯＦＤＭ信号受信機における受信品質の劣化を引き起こすのかについて検査することができる。
【発明の効果】
【００１３】
以上説明したように、本発明によれば、基板上で発生する静的なスプリアス成分による影響を軽減するＯＦＤＭ信号受信機を提供することができる。
【発明を実施するための最良の形態】
【００１４】
（本発明の第１の実施形態に係るＯＦＤＭ信号受信機の構成）
図１乃至図６を参照して、本発明の第１の実施形態に係るＯＦＤＭ信号受信機１の構成について説明する。
【００１５】
本実施形態に係るＯＦＤＭ信号受信機１は、空間的に離れて設置されている複数のアンテナによって、複数のキャリアを含むＯＦＤＭ信号を受信するように構成されている。
【００１６】
図１に示すように、本実施形態に係るＯＦＤＭ信号受信機１は、第１アンテナ１０と、第２アンテナ２０と、第１チューナ１１と、第２チューナ２１と、第１ＦＦＴ回路１２と、第２ＦＦＴ回路２２と、ダイバーシチ合成回路１０１と、ビタビ復号部１０２と、リードソロモン復号部１０３と、ＭＰＥＧ復号部１０４と、映像音声分離部１０５と、映像復号部１０６と、音声復号部１０７と、再生用テーブル記憶部５２と、検査用テーブル記憶部５３と、入力部２０１と、チューナ制御部２０２と、ダイバーシチ制御部２０３と、測定部２０４と、検査部２０５とを具備している。
【００１７】
なお、入力部２０１、チューナ制御部２０２、ダイバーシチ制御部２０３、測定部２０４及び検査部２０５は、マイコン２によって実現されていてもよい。
【００１８】
また、本実施形態では、第１アンテナ１０と第１チューナ１１と第１ＦＦＴ回路１２とによって第１受信系統が構成され、第２アンテナ２０と第２チューナ２１と第２ＦＦＴ回路２２とによって第２受信系統が構成されているものとする。なお、本発明は、ＯＦＤＭ信号受信機１が、２つの受信系統を具備するケースに限定されず、ＯＦＤＭ信号受信機１が、３つ以上の受信系統を具備するケースにも適用可能である。
【００１９】
また、本実施形態に係るＯＦＤＭ信号受信機１は、ＯＦＤＭ信号を受信するための通常モード、或いは、商品として出荷される前に再生用テーブル（後述）を生成するための事前検査モードの何れかで動作するように構成されている。
【００２０】
なお、本実施形態に係るＯＦＤＭ信号受信機１は、事前検査モードで動作する場合、第１受信系統又は第２受信系統を介して受信されたＯＦＤＭ信号に含まれるキャリアの中から、ＯＦＤＭ信号の品質（例えば、ＢＥＲやＭＥＲ等）に悪影響を及ぼす静的なスプリアス成分（特定キャリア）を検出するように構成されている。
【００２１】
一方、本実施形態に係るＯＦＤＭ信号受信機１は、通常モードで動作する場合、事前検査モードで検出された特定キャリア（スプリアス成分）を、ダイバーシチ合成に使用しないことによって、当該特定キャリアによるＯＦＤＭ信号の品質への影響を軽減するように構成されている。
【００２２】
第１に、本実施形態に係るＯＦＤＭ信号受信機１が、事前検査モードで動作する場合の各部の機能について説明する。
【００２３】
第１チューナ１１は、ＯＦＤＭ伝送方式に対応した信号発生器３に接続され、かかる信号発生器３から、事前検査者によって入力装置５１を用いて選択（選局）された周波数帯域（チャネル）のＯＦＤＭ信号を受信するように構成されている。
【００２４】
第２チューナ２１は、ＯＦＤＭ伝送方式に対応した信号発生器３に接続され、かかる信号発生器３から、事前検査者によって入力装置５１を用いて選択（選局）された周波数帯域（チャネル）のＯＦＤＭ信号を受信するように構成されている。
【００２５】
ここで、第１チューナ１１及び第２チューナは、同一のチャネル（本実施形態では、ＵＨＦ帯１３ｃｈ〜６２ｃｈ）を受信するように構成されている。
【００２６】
具体的には、事前検査者が、ＯＦＤＭ信号受信機１に入力装置５１として接続されているＰＣ等を使用して、マイコン２に対して、ＵＨＦ帯１３ｃｈ〜６２ｃｈの何れかを選局するための制御信号を入力する。
【００２７】
マイコン２における入力部２０１は、かかる制御信号を検知し、チューナ制御部２０２及びダイバーシチ制御部２０３に対して、検知した制御信号を通知するように構成されている。
【００２８】
チューナ制御部２０２は、通知された制御信号に応じて、ＵＨＦ帯１３ｃｈ〜６２ｃｈの中から、特定チャネル（例えば、１３ｃｈ）の信号を選局するように、第１チューナ１１及び第２チューナ２１を制御する。
【００２９】
第１ＦＦＴ回路１２は、第１チューナ１１からの出力信号に対してＦＦＴ（高速フーリエ変換）処理を行うように、すなわち、第１チューナ１１からの出力信号からの出力信号を時間軸の信号から周波数軸の信号に変換するように構成されている。
【００３０】
第２ＦＦＴ回路２２は、第２チューナ２１からの出力信号に対してＦＦＴ（高速フーリエ変換）処理を行うように、すなわち、第２チューナ２１からの出力信号からの出力信号を時間軸の信号から周波数軸の信号に変換するように構成されている。
【００３１】
ここで、図２に、第１ＦＦＴ回路１２からの出力信号の一例を示し、図３に、第２ＦＦＴ回路２２からの出力信号の一例を示す。
【００３２】
図２の例は、同一基板に実装されたＣＰＵやメモリといったチップを動作させるためのクロック等の影響で、キャリア番号ｎ１及びキャリア数ｗ１に対応するキャリア（すなわち、キャリア番号ｎ１によって特定されるキャリアの前又は後に存在するｗ１個のキャリア）がスプリアス成分となっている状態を示している。
【００３３】
かかる場合、かかるキャリアを含んだ状態で、ダイバーシチ合成処理を行うことによって復調処理を行うと、かかるキャリアの周波数上にある通常の受信信号は、ノイズ成分で潰れてしまい、ＢＥＲ特性が劣化してしまう。
【００３４】
また、第１ＦＦＴ回路１２からの出力信号及び第２ＦＦＴ回路２２からの出力信号に対するスプリアス成分による影響は、信号発生器３との位置関係によって一様でないが、図３の例では、説明を簡単にする為に、スプリアス成分が発生していないものとした。
【００３５】
なお、かかる事前検査の目的は、基板上で、第１ＦＦＴ回路１２からの出力信号又は第２ＦＦＴ回路２２からの出力信号のどちらのスプリアス成分（特定のキャリア）が、ＯＦＤＭ信号の品質に対して悪影響を及ぼしているのかについて検査しておくことである。
【００３６】
ダイバーシチ合成部１０１は、第１ＦＦＴ回路１２からの出力信号及び第２ＦＦＴ回路２２からの出力信号を用いてダイバーシチ合成を行うように構成されている。
【００３７】
また、ダイバーシチ合成部１０１は、第１ＦＦＴ回路１１からの出力信号又は第２ＦＦＴ回路１２からの出力信号に含まれる複数のキャリアの中から削除するキャリアを変更した複数パターンのダイバーシチ合成を行うように構成されている。
【００３８】
具体的には、マイコン２におけるダイバーシチ制御手段２０３が、第１ＦＦＴ回路１１からの出力信号又は第２ＦＦＴ回路２１からの出力信号の一方から任意のキャリア番号（後述のｎ１又はｎ２）のキャリアを含む任意のキャリア数（後述のｗ１又はｗ２）のキャリアだけを除去して、他方における全てキャリアを含む出力信号と合成するように、ダイバーシチ合成部１０１を制御する。
【００３９】
この結果、例えば、図２のように、ダイバーシチ合成部１０１は、任意のキャリア番号ｎ１（１≦ｎ１≦Ｎ）（Ｎは、伝送方式によって異なる。例えば、ＩＳＤＢ-Ｔのｍｏｄｅ３の場合は、Ｎ＝５６１７となる）のキャリアを含むキャリア数ｗ１（１≦ｗ１≦ｘ）（ｘは、任意の数である。ここでは、ｘ＝５とする。）のキャリアだけを除いて、ダイバーシチ合成を行うように構成されている。
【００４０】
この時、ダイバーシチ合成部１０１は、図３に示す第２ＦＦＴ回路２２からの出力信号に関しては、全てのキャリアを用いて、ダイバーシチ合成を行うように構成されている。
【００４１】
また、同様に、図３のように、ダイバーシチ合成部１０１は、任意のキャリア番号ｎ２（１≦ｎ２≦Ｎ）（Ｎは、伝送方式によって異なる。例えば、ＩＳＤＢ-Ｔのｍｏｄｅ３の場合は、Ｎ＝５６１７となる）のキャリアを含むキャリア数ｗ２（１≦ｗ２≦ｘ）（ｘは、任意の数である。ここでは、ｘ＝５とする。）のキャリアだけを除いて、ダイバーシチ合成を行うように構成されている。
【００４２】
この時、ダイバーシチ合成部１０１は、図２に示す第１ＦＦＴ回路１２からの出力信号に関しては、全てのキャリアを用いて、ダイバーシチ合成を行うように構成されている。
【００４３】
なお、キャリア番号ｎ１のキャリアを含むキャリア数ｗ１のキャリア、或いは、キャリア番号ｎ２のキャリアを含むキャリア数ｗ２のキャリアを選ぶ方法としては、任意の方法を用いることができる。
【００４４】
ビタビ復号部１０２は、ダイバーシチ合成部１０１からの出力信号に対してビタビ復号処理を行うように構成されている。リードソロモン復号部１０３は、ビタビ復号部１０１からの出力信号に対してリードソロモン復号処理を行うように構成されている。
【００４５】
マイコン２の測定部２０４は、ダイバーシチ合成部１０１からの出力信号（例えば、ビタビ復号部１０１からの出力信号又はリードソロモン復号部１０３による誤り訂正処理後の信号）の品質を測定するように構成されている。
【００４６】
ここで、測定部２０４は、上述の品質として、ＢＥＲ（Ｂｉｔ  Ｅｒｒｏｒ  Ｒａｔｅ）やＭＥＲ（Ｍｏｄｕｌａｔｉｏｎ  Ｅｒｒｏｒ  Ｒａｔｅ）等の誤り率を測定するように構成されていてもよい。
【００４７】
また、測定部２０４は、複数パターンのダイバーシチ合成によって生成される複数の出力信号の品質を測定して、当該複数パターンのダイバーシチ合成の各々で使用されなかったキャリアと該測定された品質とを関連付けて検査用テーブル記録部（第２記録部）５３に記録するように構成されている。
【００４８】
具体的には、測定部２０４は、測定部２０４によって測定された品質（例えば、ＢＥＲ）と、かかる場合にダイバーシチ制御部２０３によって選択されているｎ１及びｗ１の値と、チューナ制御部２０２によって選局されているチャネル番号とを関連付ける検査用テーブルを、検査用テーブル記録部５３に格納する。ここで、図４に、検査用テーブル記録部５３に格納された検査用テーブルの一例を示す。
【００４９】
同様に、測定部２０４は、測定部２０４によって測定された品質（例えば、ＢＥＲ）と、かかる場合にダイバーシチ制御部２０３によって選択されているｎ２及びｗ２の値と、チューナ制御部２０２によって選局されているチャネル番号とを関連付ける検査用テーブルを、検査用テーブル記録部５３に格納する。ここで、図５に、検査用テーブル記録部５３に格納された検査用テーブルの一例を示す。
【００５０】
測定部２０４は、全てのチャネル（１３ｃｈ〜６２ｃｈ）に対して、図４及び図５に示す検査用テーブルを生成して、検査用テーブル記録部５３に格納するように構成されている。
【００５１】
なお、最終的に、全てのチャネルについて検査を実施するか（すなわち、検査用テーブルを生成するか）、或いは、特定のチャネルについてのみ検査するか（すなわち、検査用テーブルを生成するか）は、事前検査者が、任意に設定することができるものとする。
【００５２】
マイコン２の検査部２０５は、１３ｃｈにおける検査用テーブルが完成された時点で、検査用テーブル記録部５３に記録されている検査用テーブル（図４及び図５参照）における全てのＢＥＲをスキャンするように構成されている。
【００５３】
そして、検査部２０５は、ＢＥＲが最良となる場合のパラメータ値（ｎ１，ｗ１）或いは（ｎ２，ｗ２）を抽出し、抽出したパラメータ値をチャネル番号と共に再生用テーブル記録部（第１記録部）５２に記録するように構成されている。
【００５４】
図４及び図５の例では、ＢＥＲ＝２×１０−６となる場合のパラメータ値（ｎ１＝１０，ｗ１＝１）と、その際のチャネル番号ｃｈ＝１３とを、再生用テーブル記録部５２に記録する。
【００５５】
ここで、図２に示す第１ＦＦＴ回路１１からの出力信号のキャリア番号１０のキャリアをダイバーシチ合成に用いない場合に、ＢＥＲ特性が最良となるということは、言い換えれば、第１ＦＦＴ回路１１からの出力信号のキャリア番号１０のキャリアは、スプリアスの影響でＢＥＲ特性の劣化に起因する最大の要因であることを示す。
【００５６】
したがって、通常モードおいて、１３ｃｈのＯＦＤＭ信号を受信する場合には、かかるキャリアを使用することなくダイバーシチ合成を行うことによって、ＢＥＲ特性を向上させることができる。
【００５７】
そのため、マイコン２の再生用テーブル検査部２０５は、ｎ１＝１０、ｗ１＝１の値と、かかる場合に選局されているチャネル番号（１３ｃｈ）を、ダイバーシチ合成部１０１からの出力信号から特定のキャリアを除去するために必要なパラメータ値として、再生用テーブル記録部５２に記録する。
【００５８】
すなわち、再生用テーブル記録部５２は、検査用テーブル参照部５３を参照して、各周波数帯域（各チャネル、例えば、ＵＨＦ帯１３ｃｈ〜６２ｃｈ）に対して、ダイバーシチ合成に使用しないキャリア（検査用テーブル参照部５３において、最良の品質に対応するキャリア）を記録するように構成されている。
【００５９】
図６に、再生用テーブル記録部５２に格納されている再生用テーブルの一例を示す。
【００６０】
第２に、本実施形態に係るＯＦＤＭ信号受信機１が、通常動作モードで動作する場合の各部の機能について説明する。
【００６１】
第１チューナ１１は、第１アンテナ１０を介して、ユーザによって入力装置（例えば、タッチパネルやリモコン等）５１を用いて選択（選局）された周波数帯域（チャネル）のＯＦＤＭ信号を受信するように構成されている。
【００６２】
第２チューナ２１は、第２アンテナ２０を介して、ユーザによって入力装置５１を用いて選択（選局）された周波数帯域（チャネル）のＯＦＤＭ信号を受信するように構成されている。
【００６３】
ここで、ユーザが、入力装置５１を用いて、１３ｃｈを選局するように命令した場合、マイコン２の入力部２０１が、かかる命令を、チューナ制御部２０２を介して、１３ｃｈを選局するように、第１チューナ１１及び第２チューナ２１を制御する。
【００６４】
第１ＦＦＴ回路１２は、第１チューナ１１からの出力信号に対してＦＦＴ（高速フーリエ変換）処理を行うように、すなわち、第１チューナ１１からの出力信号からの出力信号を時間軸の信号から周波数軸の信号に変換するように構成されている。
【００６５】
第２ＦＦＴ回路２２は、第２チューナ２１からの出力信号に対してＦＦＴ（高速フーリエ変換）処理を行うように、すなわち、第２チューナ２１からの出力信号からの出力信号を時間軸の信号から周波数軸の信号に変換するように構成されている。
【００６６】
ダイバーシチ合成部１０１は、第１ＦＦＴ回路１２からの出力信号及び第２ＦＦＴ回路２２からの出力信号を用いてダイバーシチ合成を行うように構成されている。
【００６７】
また、ダイバーシチ合成部１０１は、再生用テーブル記録部（第１記録部）５２を参照して、第１ＦＦＴ回路１２からの出力信号又は第２ＦＦＴ回路２２からの出力信号に含まれる複数のキャリアの中から、ユーザによって選択（選局）された周波数帯域（チャネル）に対応するキャリアを除去してダイバーシチ合成を行うように構成されている。
【００６８】
ここで、マイコン２の入力部２０１が、上述の命令を、ダイバーシチ制御部２０３に通知した場合、ダイバーシチ制御部２０３は、再生用ケーブル記録部５２を参照し、１３ｃｈに対応するパラメータ値（ｎ１＝１０，ｗ１，＝１）、すなわち、ユーザによって選択（選局）された周波数帯域（チャネル）に対応するキャリアを検知し、かかるパラメータ値をダイバーシチ合成部１０１に通知する。
【００６９】
その結果、ダイバーシチ合成部１０１は、ｎ１及びｗ１によって一意に決まるキャリアを、ダイバーシチ合成に使用しないように動作する。
【００７０】
例えば、本実施形態では、全てのチャネルのパラメータ値が、再生用テーブル記録部５２に記録されていることとなっているが、特定のチャネルのパラメータ値のみが、再生用テーブル記録部５２に記録されるように構成されていてもよい。
【００７１】
この場合、ダイバーシチ制御部２０３が、再生用テーブル記録部５２を参照した際に、現在選局されているチャネルのパラメータ値が存在しない時は、ダイバーシチ合成部１０１に対して、通常どおり、両受信系統からの信号に含まれる全てのキャリアを用いてダイバーシチ合成するように命令する。
【００７２】
そして、上述のように、現在選局されているチャネルのパラメータ値が存在するときには、ダイバーシチ制御部２０３は、ダイバーシチ合成部１０１に対して、かかるパラメータ値により特定されるキャリアをダイバーシチ合成に使用しないように命令する。
【００７３】
ビタビ復号部１０２は、ダイバーシチ合成部１０１からの出力信号に対してビタビ復号処理を行うように構成されている。リードソロモン復号部１０３は、ビタビ復号部１０１からの出力信号に対してリードソロモン復号処理を行うように構成されている。
【００７４】
ＭＰＥＧ復号部１０４は、リードソロモン復号部１０３による誤り訂正処理後の信号に対してＭＰＥＧ伸張処理を行うように構成されている。
【００７５】
映像音声分離部１０５は、ＭＰＥＧ復号部１０４によるＭＰＥＧ伸張処理後の信号を、映像信号及び音声信号に分離するように構成されている。
【００７６】
映像復号部１０６は、映像音声分離部１０５から出力された映像信号に対する復号処理を行うように構成されており、音声復号部１０７は、映像音声分離部１０５から出力された音声信号に対する復号処理を行うように構成されている。
【００７７】
映像復号部１０６は、復号結果を映像出力部（図示せず）に出力するように構成されており、音声復号部１０７は、復号結果を音声出力部（図示せず）に出力するように構成されている。
【００７８】
なお、検査用テーブル記録部５３は、事前検査時のみ必要であるため、かかるＯＦＤＭ信号受信機１の出荷時には取り除かれるように構成されていてもよい。
【００７９】
（本発明の第１の実施形態に係るＯＦＤＭ信号受信機の動作）
図７及び図８を参照して、本発明の第１の実施形態に係るＯＦＤＭ信号受信機１の動作について説明する。
【００８０】
第１に、図７を参照して、本実施形態に係るＯＦＤＭ信号受信機１の事前検査モードの操作について説明する。
【００８１】
図７に示すように、ステップＳ１０１において、本実施形態に係るＯＦＤＭ受信機１に接続されている信号発生器３が、第１チューナ１１及び第２チューナ２１に対してＯＦＤＭ信号を入力する。
【００８２】
ステップＳ１０２において、チューナ制御部２０２が、１３ｃｈを受信するように、第１チューナ１１及び第２チューナ２１を制御する（Ｔ＝１３ｃｈ）。
【００８３】
ダイバーシチ制御部２０３は、ステップＳ１０３において、「ｎ１＝１」と設定すると共に、ステップＳ１０４において、「ｗ１＝１」と設定する。
【００８４】
ステップＳ１０５において、ダイバーシチ合成部２０４は、ダイバーシチ制御部２０３からの指示に応じて、第１ＦＦＴ回路１１からの出力信号から、パラメータ値（ｎ１，ｗ１）に対応するキャリアのみを除いて、ダイバーシチ合成を行う。
【００８５】
ステップＳ１０６において、測定部２０４は、ダイバーシチ合成部２０４からの出力信号（例えば、ビタビ復号部１０２又はリードソロモン復号部１０３からの出力信号）についてのＢＥＲを測定し、現在選局されているチャネル番号Ｔに対応する検査用テーブルに、測定したＢＥＲを、パラメータ値（ｎ１，ｗ１）と共に記録する。
【００８６】
ステップＳ１０７において、ダイバーシチ制御部２０３は、「ｗ１＝ｘ」であるか否かについて判定する。ここで、ｘは、任意の整数である。「ＹＥＳ」の場合、本動作は、ステップＳ１０９に進み、「ＮＯ」の場合、本動作は、ステップＳ１０８に進む。
【００８７】
ステップＳ１０８において、ダイバーシチ制御部２０３は、「ｗ１」の値を１だけ増加させて、本動作は、ステップＳ１０５に戻る。
【００８８】
ステップＳ１０９において、ダイバーシチ制御部２０３は、「ｎ１＝５６１７」であるか否かについて判定する。「ＹＥＳ」の場合、本動作は、ステップＳ１１１に進み、「ＮＯ」の場合、本動作は、ステップＳ１１０に進む。
【００８９】
ステップＳ１１０において、ダイバーシチ制御部２０３は、「ｎ１」の値を１だけ増加させて、本動作は、ステップＳ１０４に戻る。
【００９０】
ダイバーシチ制御部２０３は、ステップＳ１１１において、「ｎ２＝１」と設定すると共に、ステップＳ１１２において、「ｗ２＝１」と設定する。
【００９１】
ステップＳ１１３において、ダイバーシチ合成部２０４は、ダイバーシチ制御部２０３からの指示に応じて、第２ＦＦＴ回路２１からの出力信号から、パラメータ値（ｎ２，ｗ２）に対応するキャリアのみを除いて、ダイバーシチ合成を行う。
【００９２】
ステップＳ１１４において、測定部２０４は、ダイバーシチ合成部２０４からの出力信号（例えば、ビタビ復号部１０２又はリードソロモン復号部１０３からの出力信号）についてのＢＥＲを測定し、現在選局されているチャネル番号Ｔに対応する検査用テーブルに、測定したＢＥＲを、パラメータ値（ｎ２，ｗ２）と共に記録する。
【００９３】
ステップＳ１１５において、ダイバーシチ制御部２０３は、「ｗ２＝ｘ」であるか否かについて判定する。ここで、ｘは、任意の整数である。「ＹＥＳ」の場合、本動作は、ステップＳ１１７に進み、「ＮＯ」の場合、本動作は、ステップＳ１１６に進む。
【００９４】
ステップＳ１１６において、ダイバーシチ制御部２０３は、「ｗ２」の値を１だけ増加させて、本動作は、ステップＳ１１３に戻る。
【００９５】
ステップＳ１１７において、ダイバーシチ制御部２０３は、「ｎ２＝５６１７」であるか否かについて判定する。「ＹＥＳ」の場合、本動作は、ステップＳ１１９に進み、「ＮＯ」の場合、本動作は、ステップＳ１１８に進む。
【００９６】
ステップＳ１１８において、ダイバーシチ制御部２０３は、「ｎ２」の値を１だけ増加させて、本動作は、ステップＳ１１２に戻る。
【００９７】
ステップＳ１１９において、検査部２０５は、検査用テーブルの中から、最良のＢＥＲに対応するパラメータ値（ｎ１，ｗ１）或いは（ｎ２，ｗ２）を選択し、選択したパラメータ値を、現在選局されているチャネル番号Ｔと共に、再生用テーブルに記録する。
【００９８】
ステップＳ１２０において、チューナ制御部２０２は、「Ｔ＝６２ｃｈ」であるか否かについて判定する。「ＹＥＳ」の場合、本動作は、終了し、「ＮＯ」の場合、本動作は、ステップＳ１２１に進む。
【００９９】
ステップＳ１２１において、ダイバーシチ制御部２０３は、「Ｔ」の値を１だけ増加させて、本動作は、ステップＳ１０３に戻る。
【０１００】
第２に、図８を参照して、本実施形態に係るＯＦＤＭ信号受信機１の通常動作モードの操作について説明する。
【０１０１】
図８に示すように、ステップＳ２０１において、第１チューナ１１及び第２チューナ２１が、それぞれ第１アンテナ１０及び第２アンテナ２０を介してＯＦＤＭ信号を受信する。
【０１０２】
ステップＳ２０２において、ユーザが、入力装置５１を用いて所望のチャネル（周波数帯域）を選局すると、チューナ制御部２０２は、入力部２０１を介して受信した当該ユーザからの命令に応じて、当該所望のチャネルを選局するように第１チューナ１１及び第２チューナ２１を制御し、第１チューナ１１及び第２チューナ２１が、受信した複数のＯＦＤＭ信号の中から、かかる所望のチャネル（周波数帯域）に対応するＯＦＤＭ信号を選択して受信する。
【０１０３】
ステップＳ２０３において、第１ＦＦＴ回路１２が、第１チューナ１１からの出力信号に対してＦＦＴ処理を行い、第２ＦＦＴ回路２２が、第２チューナ２１からの出力信号に対してＦＦＴ処理を行う。
【０１０４】
ステップＳ２０４において、ダイバーシチ制御部２０３が、再生用テーブル記録部５２を参照して、上述の所望のチャネルに対応するパラメータ値（ｎ１，ｗ１）或いは（ｎ２，ｗ２）を選択し、かかるパラメータ値により特定されるキャリアを、ダイバーシチ合成に使用しないキャリアとしてダイバーシチ合成部１０１に通知する。
【０１０５】
ステップＳ２０５において、ダイバーシチ合成部１０１は、第１ＦＦＴ回路１２からの出力信号及び第２ＦＦＴ回路２２からの出力信号から、通知されたキャリアを除去して、ダイバーシチ合成を行う。
【０１０６】
ステップＳ２０６において、ビタビ復号部１０２及びリードソロモン復号部１０３が、ダイバーシチ合成部１０１からの出力信号に対して、誤り訂正復号処理を行う。
【０１０７】
ステップＳ２０７において、ＭＰＥＧ復号部１０４が、リードソロモン復号部１０３からの出力信号に対して、ＭＰＥＧ伸張処理を行う。
【０１０８】
ステップＳ２０８において、映像音声分離部１０５が、ＭＰＥＧ復号部１０４によるＭＰＥＧ伸張処理後の信号を、映像信号及び音声信号に分離する。
【０１０９】
ステップＳ２０９において、映像復号部１０６が、映像音声分離部１０５から出力された映像信号に対する復号処理を行うと共に、音声復号部１０７が、映像音声分離部１０５から出力された音声信号に対する復号処理を行う。
【０１１０】
そして、映像復号部１０６が、復号結果を映像出力部（図示せず）に出力すると共に、音声復号部１０７が、復号結果を音声出力部（図示せず）に出力する。
【０１１１】
（本発明の第１の実施形態に係るＯＦＤＭ信号受信機の作用・効果）
本発明の第１の実施形態に係るＯＦＤＭ信号受信機１によれば、ＯＦＤＭ信号受信機１における受信品質に悪影響を及ぼす特定のキャリアを除去してダイバーシチ合成を行うことができるため、ＯＦＤＭ信号受信機１における受信品質を改善することができる。
【０１１２】
本発明の第１の実施形態に係るＯＦＤＭ信号受信機１によれば、商品として出荷される前に、どのキャリアがスプリアス成分としてＯＦＤＭ信号受信機１における受信品質の劣化を引き起こすのかについて検査することができる。
【０１１３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【０１１４】
【図１】本発明の第１の実施形態に係るＯＦＤＭ信号受信機の機能ブロック図である。
【図２】本発明の第１の実施形態に係るＯＦＤＭ信号受信機における第１ＦＦＴ回路から出力される信号の一例を示す図である。
【図３】本発明の第１の実施形態に係るＯＦＤＭ信号受信機における第２ＦＦＴ回路から出力される信号の一例を示す図である。
【図４】本発明の第１の実施形態に係るＯＦＤＭ信号受信機における検査用テーブルの一例を示す図である。
【図５】本発明の第１の実施形態に係るＯＦＤＭ信号受信機における検査用テーブルの一例を示す図である。
【図６】本発明の第１の実施形態に係るＯＦＤＭ信号受信機における再生用テーブルの一例を示す図である。
【図７】本発明の第１の実施形態に係るＯＦＤＭ信号受信機の事前検査における動作を示すフローチャートである。
【図８】本発明の第１の実施形態に係るＯＦＤＭ信号受信機の通常受信処理における動作を示すフローチャートである。
【符号の説明】
【０１１５】
１…ＯＦＤＭ信号受信機
２…マイコン
３…信号発生器
１０…第１アンテナ
２０…第２アンテナ
１１…第１チューナ
２１…第２チューナ
１２…第１ＦＦＴ回路
２２…第２ＦＦＴ回路
１０１…ダイバーシチ合成回路
１０２…ビタビ復号部
１０３…リードソロモン復号部
１０４…ＭＰＥＧ復号部
１０５…映像音声分離部
１０６…映像復号部
１０７…音声復号部
２０１…入力部
２０２…チューナ制御部
２０３…ダイバーシチ制御部
２０４…測定部
２０５…検査部
５１…入力装置
５２…再生用テーブル記憶部
５３…検査用テーブル記憶部
【図１】
2008199133.tif 000003
【図２】
2008199133.tif 000004
【図３】
2008199133.tif 000005
【図４】
2008199133.tif 000006
【図５】
2008199133.tif 000007
【図６】
2008199133.tif 000008
【図７】
2008199133.tif 000009
【図８】
2008199133.tif 000010